(57)【特許請求の範囲】
【請求項１】
電源制御器を作動させる方法であって、
前記制御器に過電圧か否かを判断するための基準電圧、過電流か否かを判断するための基準電圧閾値電圧を含む複数の基準電圧及びバイアスを供給する段階と、
前記基準電圧及びバイアスが供給され始めると、固定オフタイム動作モードで前記制御器が動作する段階と、
異常検出要素が前記過電圧か否かを判断するための基準電圧に基づき、前記制御器に過電圧が入力されたか否かを判断し、前記過電流か否かを判断するための基準電圧に基づき、制御器に過電流が印加されたか否かを判断し、過電圧の入力の際に過電圧状態信号を出力し、過電流印加の際に過電流状態信号を出力する段階と、
ゼロ電圧スイッチング状態でありつつ前記異常検出要素が過電圧状態信号を出力しない状況であるとき、前記固定オフタイム動作モードの動作からゼロ電圧スイッチング動作モードの動作にスイッチする段階と、
前記過電圧状態信号、固定オフタイム動作モード信号、ゼロ電圧スイッチング状態の不在を表す信号よりなるグループから選択された一つの信号に応じて、前記ゼロ電圧スイッチング動作モードで動作する前記制御器を前記固定オフタイム動作モードで動作するようにスイッチする段階と、
前記過電流状態信号に応じて、前記基準電圧及びバイアスが供給されず、電力が供給されない停止状態で前記制御器を動作する段階と、
前記停止状態中に前記制御器に入力された電圧が前記閾電圧以下に下がることに応じて、前記基準電圧及びバイアスを前記制御器に再び供給する段階とを含むことを特徴とする電源制御器作動方法。
【請求項２】
前記制御器に基準電圧及びバイアスを供給する前記段階は、
温度安定基準電圧を供給する段階と、
電圧バイアス信号を供給する段階と、
低電圧ロックアウト信号(under-voltage-lock-out signal)を発生する段階とを含むことを特徴とする請求項１に記載の電源制御器作動方法。
【請求項３】
前記固定オフタイム動作モードで前記制御器を動作する前記段階が、
オフタイム回路の発振周波数により決定される周波数に応じて出力のパルス幅を変調する段階を含むことを特徴とする請求項１に記載の電源制御器作動方法。
【請求項４】
ゼロ電圧スイッチング動作モードで前記制御器を動作する前記段階が、
変圧器に蓄えられた全てのエネルギーが負荷で放電されたことを表す共振発振により決定される周波数に応じて出力のパルス幅を変調する段階を含むことを特徴とする請求項１に記載の電源制御器作動方法。
【発明の詳細な説明】
【０００１】
【発明の属する技術分野】
本発明は、電子装置用の電源供給に関連し、詳細にはスイッチング電力変換器用の制御器に関する。
【０００２】
【従来の技術】
本発明の出願は1999年3月26日付で出願された米国特許仮出願番号第60/126,525号に基づく優先権を主張するものである。
調整電源(regulated power supply)はバッテリ充電器、携帯電話、コンピュータ、コンピュータ用モニター、テレビ、オーディオ機器、ビデオカメラを含む殆ど全ての電子装置に用いられている。DC電源から動作する一典型的な電源であるDC/DC変換器は、中間処理として交流を発生し、負荷に直流を供給する。線形の変圧器に基づく電源のようなスイッチDC変換器(switched CD converter)は、調整出力を供給して、入力回路を出力回路から分離する。しかしながら、線形の電源とは違って、スイッチDC変換器内の変圧器は数メガヘルツのような遥かに高い周波数で動作する。このように作動することにより、変換器の入力と出力とを完全に分離する一方、変圧器とキャパシタとを含む小さい値の素子(small value components)を使用することが可能である。
【０００３】
スイッチDC変換器は電子及びコンピュータ分野で幅広く使用されているが、スイッチングの際に放射損失(radiated losses)及びRFノイズを起こすと知られている。例えば、ハードスイッチングトポロジー(hard-switching topology)では、スイッチングにより変換器のスイッチを流れる電流或いは変換器スイッチにかかる電圧に急激な変化が生じ、信号放出の形態のスイッチング損失をもたらす。このスイッチング遷移は高周波成分を含むスペクトルを有し、放射放出として現れ、変換器周辺領域にノイズを起こす。このようなノイズはビデオ信号などと干渉を起こすことがあるため、伝送された信号をさらに処理し、フィルタリングしてより有用なノイズの無い形態にしなければならない。
【０００４】
ソフトスイッチング変換器(soft switching converter)は、ハードスイッチ損失及び連関するノイズ関連問題を低減するための公知の変換器トポロジー（converter topology）である。典型的なソフトスイッチング変換器は、共振器を用いてスイッチング中に電力スイッチの電流や電圧を「0」にする。これにより、スイッチング電流及び/或いは電圧における急激な変化により生じるスイッチング遷移と放射放出とを大幅に低減する。
【０００５】
しかしながら、ソフトスイッチング変換器もまた、最適の効率性を達成できない。例えば、ディスプレイ装置において調整電源は典型的には多様なモードで動作する。主モードでは、ディスプレイモニターの全ての部品に電力が供給され、画面全体が全て黒から全て白に画像を表示するのに総計で50Wから100Wを消費する。待機モードでは、電源、マイクロプロセッサ、遠隔制御回路などの最小限のディスプレイ部品に電力が供給される。待機モードは、典型的には5W未満を消費する一定の負荷特性を有する。主モードと待機モードとの中間にある中間モードである中断モードでは、ディスプレイモニター部品の一部が活性状態にある。中断モードでは、ディスプレイ装置により約10W〜20Wが消費される。
【０００６】
20W未満の低電力で動作するためには、少ない量の電力を負荷に供給しなければならないため、典型的なソフトスイッチング電源はスイッチング周波数を低減する。このような方法により低電力で動作すると、ゼロ電圧スイッチング検出ユニットに誤まったフィードバックがなされ、このような電源のスイッチで容認できない電力損失が起こる。また、典型的なソフトスイッチング電源は、低電力動作モードにおける供給可能な電力の範囲に容認できない制約を受ける。
【０００７】
【発明が解決しようとする課題】
従って、本発明の主な目的は、改善された力率補正モード及び低電力待機作動モードを有する低コスト、低ノイズの高効率性能を有する電源を提供することにある。この性能を達成するために本発明による変換器は、可変周波数の自動整流型制御器(variable frequency, naturally commutated controller)或いは固定オフタイム制御器(fixed off-time controller)として動作する。主モードでは、変換器は主電力を供給する可変周波数制御器として動作する。待機モードでは、変換器は固定オフタイム制御器として動作し５W未満の低電力を供給する。
【０００８】
本発明のデュアルモード変換器(変換器の動作の制御に関連するa/k/a「制御器」)は、4個の主要要素を含む。基準及びバイアス要素(reference-and-biases element)は、制御器に使用される基準電圧及びバイアス電圧を多様な信号の状態を決定するために生成する。モード検出及びパルス幅変調要素(mode-detection-and-pulse-width-modulation element)は多様な信号状態から変換器が固定オフタイムモードで動作するか、或いはゼロ電圧スイッチング(zero-voltage-switching：ZVS)モードで動作するかどうかを決定する。タイミング回路は固定オフタイミング信号及び電圧ランプ信号(voltage-ramp signal)を生成し、これらの信号は制御器がデュアルモード動作を生成するために使用される。異常事態要素(catastrophic-event-element)は、異常な事態が発生すると変換器の出力を遮断し、制御器を再起動する。
【０００９】
【課題を解決するための手段】
上記の目的を達成するために、本発明によれば、電圧調整のための力率補正制御器であって、基準閾電圧及びバイアスを提供する基準及びバイアス発生器と、固定オフタイム遅延を起こす遅延タイマと、電圧ランプ信号を発生するランプタイマと、前記遅延タイマ或いは前記ランプタイマに基づいて前記電圧を変調するかどうかを前記基準閾電圧及びバイアスから決定して前記電圧を変調させるモード検出器及び変調器とを含む電圧調整のための力率補正制御器が提供される。
【００１０】
【発明の実施の形態】
以下、本発明の好適な実施例について図面を参照しながらより詳しく説明する。
【００１１】
本発明により電源制御器は高効率、低ノイズ及び厳密に調整された出力を提供する。本発明は疑似共振、ゼロ電圧スイッチング(quasi-resonant, zero voltage switching：QR-ZVS)フライバック(flyback)トポロジーを用いて具現された電源の力率性能を改善する。本発明による電源は、テレビ、コンピュータモニター、パソコン、携帯電話、通信装備、オーディオ機器、レーダー及びその他の類似装備を含む広い範囲の電子装置とともに使用することに適している。
【００１２】
TVやコンピュータモニターのような市販されているディスプレイ装置用の電源は2つの基本動作モードを有する。主モードでは、増幅器及び処理回路などの多様な回路要素に電力が多様なDC出力電圧として供給される。主モードでの負荷は、非常に動的であり、出力電圧変動に敏感である。したがって、ディスプレイ装置が適切に作動するためには、優れた電力線及び負荷調整が要求される。第2の動作モードは、待機モードとして知られている。待機モードでは、典型的には５Ｗ未満である非常に少ない量の電力が消費される。このモードにおいて電源は、マイクロ制御器(microcontroller)と、大部分のテレビに含まれている遠隔制御回路のなどの他の「常時オン(always on)」回路とに電力を供給する。
【００１３】
本発明は疑似共振、ゼロ電圧スイッチング(QR-ZVS)トポロジーを用いるスイッチング変換器(例えば、電源)の制御を提供する。制御器は信号処理及び制御回路を含み、可変周波数及び固定周波数スイッチング型モード変換器で動作する。制御器により提供される可変周波数動作(例えば、ゼロ電圧スイッチング)と電圧モード制御動作の組合せは、力率補正方法論を具現する。このように具現された2重モード変換器は、制御の範囲が拡張して現代の電子装置に典型的に加わる広い範囲の負荷を受容する。可変周波数動作は、主モードで主電力供給時に使用され、固定オフタイム動作は、待機モードで電力伝達を供給することに使用される。変換器または異常な回路動作を検出して防止する負荷回路を含む。
【００１４】
PFC制御器状態図
図1は本発明による力率補正(power factor correcting：PFC)制御器に対する多様な回路状態及び動作モードを示す状態図100である。これらの状態及び動作モードは、電力オフ(power-off)状態122、低電圧ロックアウト(under-voltage-lock-out：UVLO)状態124、固定オフタイム(fixed-off-time)動作モード126、遅延防止(inhibit-delay)状態128、ゼロ電圧スイッチング(zero-voltage-switching：ZVS)動作モード130を含む。図1で、矢印は次に説明するように制御器がある状態の動作モードから他の状態の動作モードへ遷移する事象及びその対応状態を表す。
【００１５】
最初、制御器は電力オフ状態122にある。スイッチが閉じられる（矢印132）と、制御器は電力オフ状態122ではなくなり動作を開始する。スイッチが閉じられると(例えば、変換器も電圧源への接続)、電力が制御器に供給され、制御器はUVLO状態124になる。UVLO状態124では、基準電圧及びバイアスが設定される。UVLO状態124は、実質的に制御器回路が制御を開始する前に安定した状態となるようにするための待ち時間である。
【００１６】
制御器に電力を供給する入力電圧が閾値(VCC>VCC_MIN)より大きく、他の基準電圧及びバイアスが安定すると(矢印134)、制御器はUVLO状態124から固定オフタイム動作モード126に遷移する。固定オフタイムモードで、制御器は制御器出力端に電力を供給し始める。固定オフタイムモードは、2つの事象のいずれかが発生するまで維持される。第1番目の事象で、過電流(over-current：OC)状態が検出されると(矢印136)、制御器は固定オフタイムモード126から遅延防止状態128になる。第2番目の事象で、制御器がゼロ電圧スイッチング状態(ZVS検索)及び過電圧(over-voltage：OV)状態不在を検出すると(矢印138)、制御器は固定オフタイムモード126からZVS動作モード130に遷移する。
【００１７】
遅延防止状態128は異常事態(catastrophic recovery)状態であり、制御器が固定オフタイムモード126或いはZVSモード130で動作中に過電流状態が検出(矢印136、140)されるとその状態になる。一般的に過電流状態は電源或いは電源のいずれかの負荷内の短絡回路を表す。過電流状態の発生は、第1次側のスイッチング電流を検知することにより検出され、制御器を遅延防止状態に入るようにして制御器が電力伝達をしないようにする。制御器の入力電圧が閾電圧以下に下がると((VCC>VCC_MIN(矢印144))、制御器は遅延防止状態128でUVLO状態124になる。
【００１８】
ZVSモード130において、制御器は可変周波数の自動整流型変換器として作動する。ZVSモードは典型的には、高いスイッチング周波数(即ち、>30kHz)で動作し、出力負荷に最大電力(full power)を供給する。ZVSモードは三つの事象のいずれかが発生するまで維持される。第1番目の事象で、過電流状態が検出されると(矢印140)、制御器はZVSモード130から遅延防止状態128に入る。第2番目の事象で、過電圧状態が検出されたり、ゼロ電圧スイッチング状態がこれ以上検出されなかったり(Vzvs>Vzvs_REF)、制御器を固定オフタイム動作モードになるようにする電圧入力信号が検出されると(中断信号が検出されると)(矢印142)、制御器はZVS動作モード130から固定オフタイム動作モード126に再び入る。制御器はまた、スイッチが開くと(矢印146)、ZVSモードから電力オフ状態122に再び入る。
【００１９】
固定オフタイムモード126は、待機モードの電力を供給することに用いられ、典型的には低電力で動作する。ZVS動作モードは、主モードの主電力を供給する。電力オフ状態122では、本発明の変換器に電力が供給されない(即ち、変換器を電源から切断する)。
【００２０】
PFC制御器機能図
図2は本発明による制御器の機能ブロック図200を示している。このような電圧モード制御及び可変周波数作動を提供する本発明による力率補正変換器は四つの機能的な要素により具現できる。基準電圧及びバイアス(VREF-&-Biases)要素220は内部基準電圧及びバイアス202を発生し、これらを制御器に用いて多様な外部信号204の状態を決定する。モード検出及びパルス幅変調(mode-detection-and-pulse-width-modulation：MD-&-PWM)要素206は、電圧出力信号234を供給するために制御器が固定オフタイムモードで動作するかZVSモードで動作するかを外部信号204及び内部基準202から決定する。タイミング回路260は、固定オフタイム信号及び電圧ランプ信号208を生成し、これらの信号を制御器が利用してデュアルモード動作を生成する。固定オフタイムモードでは、変換器の出力はオフタイム信号の発振周波数に応じて変調される。ZVSモードでは、変換器の出力は、変換器に蓄えられたエネルギーがいつ全て負荷に放電されたかを示す信号によって変調される。異常事態要素290は外部信号204及び内部基準202を検知し、異常事態を検出すると、制御器出力を無効にし、制御器を再起動する。
【００２１】
力率は見かけ電力に対する実際電力の尺度である。正弦波回路では、力率は電圧と同一の位相を有し、平均電力に寄与する部分の電流を表す尺度である。典型的なスイッチング電源のような伝統的な無効負荷では、ブリッジ整流器はキャパシタに電力を供給し、特に部分負荷である場合、循環ライン電圧がキャパシタ電圧より大きい時に入力電圧のピークで電流が流れるようにする。整流器を流す電流は、電圧と位相が一致するが、非正弦波であるため、力率は１に近くない。本発明の変換器は、入力端の基本周波数でエネルギーの蓄積が殆どないように整流器回路のフィルタキャパシタ値を低減することにより、力率補正を達成する。付加的な力率補正(即ち、増大された力率)は、電源に対する入力電圧に比例してスイッチング電流を変調することによりなされる。入力電圧が整流された正弦波であり一定負荷であると仮定すると、説明した整流回路は正弦波であり、入力電圧の周波数で入力電圧と同位相のスイッチング電流を発生させる。
【００２２】
しかしながら、典型的には、電源の負荷は時間によって変化する。したがって、変化する負荷を満たし、電圧と電流を同位相になるようにするため、本発明の変換器はパルス幅変調を用いる。パルス幅変調は、固定周波数で負荷に一定電力を提供するために、電圧に対して逆に電流を変化させて変化する負荷に対応する。本発明の変換器のZVSモードは、このように変化する負荷に対応する。
【００２３】
本発明の変換器は、図1の状態図で説明した電圧モード制御と可変周波数変調によって力率補正を提供する自己転流方法スイッチングとを組合わせる。電圧モード制御により可変周波数動作がなされる入力電圧のサンプリングが可能になる。負荷により出力の周波数を変化させ、入力ライン周波数より小さい周波数に制御ループの帯域幅を制限することにより、サンプル入力の１サイクルにわたって、一定デューティサイクルが提供され得る。ゼロ電圧スイッチングは可変周波数動作を具現し、出力電圧を一定レベルに維持する。
【００２４】
PFC制御器アーキテクチャ
図3は図1の状態図を具現する本発明による例示的な制御器300を概略的に示している。当業者であれば、図3の概略図は一例であることは自明である。本発明の機能的な要素を具現し、多様な部品、多様な部品値、多様な電圧及び基準電圧を有する回路を本発明の原理を逸脱せずに使用することができる。
【００２５】
制御器300は四つの主な機能的な要素を有する。基準電圧及びバイアス（Vref-&-Biases）要素220は、温度安定性基準電圧VREF222と信号との比較のための他の基準電圧を発生する回路と、低電圧ロックアウト信号UVLO224を発生させることに使用されるヒステリシス(built-in hysteresis)を有する比較器を含む。基準電圧及びバイアス要素220により発生する基準電圧は電圧過電流基準VOC226及びゼロ電圧スイッチング基準電圧VZVSREF228を含む。UVLO信号は、基準電圧及びバイアスが安定するまで変換器の動作を禁止する内部リセット信号である。UVLO信号224は制御器から発生する電圧232とともにANDゲート230に入力され、出力信号234が電力の供給に必要な電力スイッチ(図示せず)の動作を防止することができる。出力信号は、増幅器233により調節される。出力信号234は、半導体電力スイッチの作動に使用される低インピーダンス、高速電圧出力である。スイッチ(図示せず)が閉じると、制御器への電力入力であるVCC236が基準電圧及びバイアス要素220に供給される。
【００２６】
回路の第2番目の主な要素はモード検出及びパルス幅変調MD-&-PWM回路である。MD-&-PWM回路は、誤差増幅器238、高速比較器244、SRフリップフロップ258、2つのORゲート255、257、三つの入力ANDゲート254を含む。回路のこの部分は変換器制御の核心である。誤差増幅器238は、帰還電圧VFB240を内部発生基準電圧VREF222と比較する。VFB電圧検知信号240は、誤差増幅器238の反転入力端に接続されており、調整される第2次電圧を表す。誤差増幅器238により生成された誤差信号COMP242は、高速比較器244により出力信号234に同期した電圧ランプ信号246と比較される電圧レベルを設定する。誤差信号のレベルは、相異した振幅で電圧ランプ信号をインターセクト(intersecting)し、それにより出力信号234のパルス幅を変調する。オフタイムが固定している間、出力パルス幅が変化して可変周波数出力が得られる。誤差増幅器の出力COMP242は、さらに誤差増幅器に帰還して、制御ループの周波数応答を調節する。
【００２７】
MD-&-PWM機能要素中の高速比較器244の出力パルス幅変化によって、制御器負荷に供給される電力が変化する。中断信号248、VZVS信号250、VOVP252信号、オフタイムタイミング回路256の出力信号は、比較器の出力が変調される周波数を決定する。中断信号248は制御器が固定オフタイム動作モードに入るようにする電圧入力信号である。VZVS250は可変周波数動作モードを生成することに使用される電圧検知信号である。VZVS信号は、変圧器に蓄えられたエネルギーが負荷で完全に放電されたことを表す共振発振から得られる。VOVP252は第2次電圧の過電圧状態を表すことに使用される電圧検知信号である。誤差増幅器251はVZVS250及びVOVP252を基準電圧及びバイアス機能要素220により提供されるゼロ電圧スイッチング基準電圧VZVSREF228と安定基準電圧VREF222に各々比較する。このような誤差増幅器比較出力は、中断信号248とともに三つの入力ANDゲート254の入力に供給される。三つの入力ANDゲート254及び固定オフタイム回路256の出力は、第1のORゲート255を通ってSRフリップフロップ258のセット入力端に供給され、制御器の動作モードを決定する。
【００２８】
もし中断信号248が「低」、またはVOVP252が内部基準電圧VREF222を超えると、変調周波数はオフタイムタイミング回路256の発振周波数により定められる。この条件が固定オフタイム動作モードを表す。もし中断信号248が「高」であり、VOVP252がVREF222より小さいと、変調周波数は入力信号VZVS250により決定される。この条件がZVS動作モードを表す。VZVS250はフライバックトポロジーから作られる信号であり、変圧器に蓄えられたエネルギーがすべて第2次負荷で放電されたことを表すことに使用される。適切な回路動作のために、VZVSの周波数はオフタイムタイミング回路のプログラムされた周波数より遥かに高くなければならない。変換器作動中、電力は出力パルス幅を変化することにより変調する。入力電圧や出力電圧が変化するか、または変化することによりオフタイムが変調する。入力電圧や出力電圧が固定されると、パルス幅の変化は出力の周波数を変化させる。
【００２９】
制御器の第3番目の主要機能要素260は、2つのプログラマブルタイミング回路256、262より構成されている。第の1タイミング回路である固定オフタイム回路256を用いて、固定オフタイムモードに対する待機モードで電力を供給する固定オフタイム信号を生成する。固定オフタイム回路は、電流ミラー264、ランプ発生器266、比較器268を含む。固定オフタイムプログラミングは、外部抵抗性負荷及び容量性負荷よりなる。TOFFCSET270 は、容量性負荷により生成された電流出力である。この容量性負荷で発生した電圧は、固定オフタイム動作モードで制御器に対してオフタイムを設定する。TOFFCSET270は、抵抗性負荷により生成された電圧出力である。この抵抗性負荷を流す電流は、オフタイムタイミング回路に対する充電電流をプログラムする。
【００３０】
第2のタイミング回路262は、制御器がパルス幅変調機能を実行するために使用される電圧ランプ信号を発生させる。このランプ発生器タイミング回路262は、電流ミラー274、ランプ発生器276、トランジスタスイッチ287及び固定電圧比較器278を含む。2つの時間は、2つの外部抵抗282、284及び外部キャパシタ286でプログラムすることができる。TONCSET286は、容量性負荷により生成された電流出力である。この容量性負荷で発生した電圧は、MD-&-PWM機能要素に供給される電圧ランプ信号を生成する。TONLowSet286は、抵抗性負荷により生成された電圧出力である。この抵抗性負荷を流れる電流を用いて、MD-&-PWM機能要素により使用される電圧ランプ信号を作ることに必要な電流をプログラムする。TONHighSet284は、抵抗性負荷により生成された電流出力である。この抵抗性負荷を流れる電流は、パルス幅変調を行うことに使用される電圧ランプ充電回路を修正することに使用される。
【００３１】
ライン288は、さらにパルス幅変調のために電圧ランプ充電回路を変えることに使用されるトランジスタスイッチ287を活性化させる高いライン状態を表すことに使用される電圧検知信号である。各タイミング回路の電流ミラーには、制御器への定格入力VCC236及び内部発生温度−安定基準電圧VREF222が供給される。
【００３２】
制御器の第4番目の機能要素290は、過電圧及び過電流状態などの異常事態の機能を処理する。この異常検出要素290は、制御器の出力を遮断するかどうかを決定する簡単な電圧比較をして制御器を再起動する。例えば、過電流電圧検知入力電圧VOCP292と内部発生電圧過電流基準VOC226とを比較して主スイッチ電流の過電流状態を示す。異常検出要素290の出力は、MD-&-PWM機能要素の第2のORゲート257を通ってSRフリップフロップ258の再設定入力端に供給される。過電流状態或いは他の異常な事態が検出されると、制御器は出力電力を供給しない。
【００３３】
上記において、本発明の好適な実施の形態について説明したが、本発明の請求範囲を逸脱することなく、当業者は種々の改変をなし得るであろう。
【００３４】
【発明の効果】
従って、本発明による変換器は可変周波数自然転流型制御器或いは固定オフタイム制御器(fixed off-time controller)で動作する。本発明による電源は、改善された力率補正及び低電力待機作動モードを有する低コスト、低ノイズの高効率性能を提供する。
【図面の簡単な説明】
【図１】本発明による力率補正制御器の状態図である。
【図２】本発明による力率補正制御器の機能ブロック図である。
【図３】図1の状態図の機能を具現する本発明による例示的な制御器の概略図である。
【符号の説明】
１２２    電力オフ状態
１２４    低電圧ロックアウト状態
１２６    固定オフタイムモード
１２８    遅延防止状態
１３０    ゼロ電圧スイッチングモード
２０６    モード検出及びパルス幅変調要素
２２０    基準電圧及びバイアス要素
２６０    タイミング回路
２９０    異常事態の要素
【図１】
0004763114.tif 000002
【図２】
0004763114.tif 000003
【図３】
0004763114.tif 000004